(57)【要約】【課題】従来、番組に連動する形でデータ放送の表示内容が更新される地上デジタル放送受信装置については、更新の有無を単にタイトル名などから判断しているだけで、必ずしもデータ放送の表示内容の更新に即していないことから、最新の情報を得るために番組を常に表示しておくことなどが必要であった。【解決手段】本発明は、地上デジタル放送のデータ放送のデータが更新されたとの判断結果であり、かつ、表示部にデータ放送を表示させないで映像のみを表示させる制御をしている場合にはその表示画面にデータ放送のデータが更新された旨を示す報知を行なうことを特徴とする地上デジタル放送受信装置を提案する。また、前記報知に応じて、表示部にデータ放送を表示させる制御を実行させるための入力をユーザから受付け、その入力に応じてデータ放送の表示制御を実行する。【選択図】            図１
2009065546.tif 000002
【特許請求の範囲】
【請求項１】
地上デジタル放送受信部と、
受信している地上デジタル放送を表示する表示部と、
表示部にデータ放送を表示させないで映像のみを表示させる制御が可能な第一制御部と、
受信している地上デジタル放送のデータ放送のデータが更新されたか判断する判断部と、
判断部での判断結果が更新されたとの判断結果であり、かつ、第一制御部が映像のみを表示させる制御をしている場合にはその表示画面にデータ放送のデータが更新された旨を示す報知を行なう報知部と、
を有する地上デジタル放送受信装置。
【請求項２】
表示部にデータ放送を表示させる制御が可能な第二制御部と、
報知部での前記報知に応じて第二制御部に前記制御を実行させるための入力をユーザから受付けるためのユーザ入力受付部と、
をさらに有する請求項１に記載の地上デジタル放送受信装置。
【請求項３】
地上デジタル放送を受信する放送受信ステップと、
受信している地上デジタル放送を表示する表示ステップと、
受信している地上デジタル放送のデータ放送のデータが更新されたか判断する判断ステップと、
判断ステップでの判断結果が更新されたとの判断結果であり、かつ、表示画面にデータ放送を表示させないで映像のみを表示させる制御をしている場合にはその表示画面にデータ放送のデータが更新された旨を示す報知を行なう報知ステップと、
を有する地上デジタル放送受信方法。
【請求項４】
地上デジタル放送を受信する放送受信ステップと、
受信している地上デジタル放送を表示する表示ステップと、
受信している地上デジタル放送のデータ放送のデータが更新されたか判断する判断ステップと、
判断ステップでの判断結果が更新されたとの判断結果であり、かつ、表示画面にデータ放送を表示させないで映像のみを表示させる制御をしている場合にはその表示画面にデータ放送のデータが更新された旨を示す報知を行なう報知ステップと、
報知ステップでの前記報知に応じて、表示画面にデータ放送を表示させる制御を実行させるための入力をユーザから受付けるためのユーザ入力受付ステップと、
ユーザ入力受付ステップでのユーザからの入力に応じて、表示画面にデータ放送を表示させるデータ放送表示ステップと、
を有する地上デジタル放送受信方法。
【発明の詳細な説明】
【技術分野】
【０００１】
本発明は、地デジデータ放送更新時の画面表示方法に関するものである。
【背景技術】
【０００２】
従来、テレビ番組に連動する形でデータ放送の表示内容が更新される番組連動型の地上デジタル放送受信装置について、データ放送の表示内容が更新された場合に、更新前の内容を再表示できるようにしたデータ放送受信装置が提案されている（例えば、特許文献１参照）。受信されるデータ放送の内容が更新されると、更新前のデータを別の場所に保存するようになっており、これにより、見逃したデータ放送 番組の内容を再表示させることができる。
【特許文献１】特開平１１−２６１９７９号公報
【発明の開示】
【発明が解決しようとする課題】
【０００３】
しかしながら、上記特許文献１に記載の発明においては、単に番組のタイトル名などに基づいてデータ放送番組の更新の有無を判断しているのみであり、更新されたことの報知は実行されない。したがって、データ放送のデータの更新をユーザ側で知ることはできず、最新の番組情報を得るためには、番組を常に表示しておくこと、あるいは、表示切り替えを何回も行うことが必要であった。これは、自由にデータ放送番組を視聴することを妨げ、ユーザにとって非常に煩わしいという課題がある。
【課題を解決するための手段】
【０００４】
本発明はかかる実情に鑑み、地上デジタル放送のデータ放送のデータが更新されたか判断し、更新されたとの判断結果であり、かつ、表示部にデータ放送を表示させないで映像のみを表示させる制御をしている場合には、その表示画面にデータ放送のデータが更新された旨を示す報知を行なうことを特徴とする地上デジタル放送受信装置を提案するものである。
【０００５】
さらに、データ放送のデータが更新された旨を示す報知に応じて、表示部にデータ放送を表示させる制御を実行させるための入力をユーザから受付け、その入力に応じてデータ放送の表示制御を実行する。
【発明の効果】
【０００６】
以上、説明したように本件発明に係る地上デジタル放送受信装置は、地上デジタル放送受信装置の表示領域全面に地上デジタル放送を表示させた状態で、ユーザが視聴を行なっている場合であっても、データ放送の更新があったことが報知されるため、重要な情報を見逃す危険が減るという効果を有する。また、データ放送のデータが更新された旨を示す報知を確認したユーザは所定の操作を行なうことで、所望の更新情報を迅速に確認することが可能となる。
【発明を実施するための最良の形態】
【０００７】
以下に、各発明を実施するための最良の形態を説明する。各実施形態と請求項の関係はおおむね次のようなものである。実施形態１は、主に請求項１と、３について説明する。  実施形態２は、主に請求項２と、４について説明する。  なお、本発明はこれら実施の形態に何ら限定されるものではなく、その要旨を逸脱しない範囲において、種々なる態様で実施しうる。
【０００８】
また、以下に記載する各機能ブロックは、ハードウェア、またはメモリ上に展開しハードウェアを制御することでその作用が得られるソフトウェア、またはハードウェア及びソフトウェアの両方として実現されうる。具体的には、コンピュータを利用するものであれば、ＣＰＵ、メモリ、ハードディスクドライブ、ＣＤ−ＲＯＭ／ＤＶＤ−ＲＯＭなどの読み取りドライブ、各種通信用の送受信ポート・インターフェイス・その他の周辺装置などのハードウェア構成部、それらハードウェアを制御するためのドライバプログラム、その他アプリケーションプログラムなどが挙げられる。
【０００９】
さらに、この発明は装置またはシステムとして実現できるのみでなく、方法としても実現可能である。またこのような発明の一部をソフトウェアとして構成することもできる。さらにそのようなソフトウェアをコンピュータに実行させるために用いるソフトウェア製品、及び同製品を固定した記録媒体も、当然にこの発明の技術的な範囲に含まれる（本明細書の全体を通じて同様である。）
【００１０】
<<実施形態１>>
【００１１】
<実施形態１：概要>  本実施形態の概要について説明する。本実施形態は、地上デジタル放送のデータ放送のデータが更新されたか判断し、更新されたとの判断結果であり、かつ、表示部にデータ放送を表示させないで映像のみを表示させる制御をしている場合にはその表示画面にデータ放送のデータが更新された旨を示す報知を行なうことを特徴とする地上デジタル放送受信装置である。
【００１２】
図１は、本実施形態の地上デジタル放送受信装置の一例を示すものである。図１は、地上デジタル放送受信装置にて受信した放送を再生する場面を示している。（ａ）では、データ放送を表示しないで、映像のみを表示している状態を示したものである。このとき、受信している地上デジタル放送のデータ放送のデータが更新された場合にはその表示画面にデータ放送のデータが更新された旨を示す報知を行なう。つまり、本例のようにスポーツ番組（本例ではサッカー）が放送されている状態では、これに対応するデータ放送データが更新された場合（サッカー放送のスコアが更新された場合など）に報知を行なう。報知は、表示領域の隅に（ｂ）で示すようなメッセージを表示する方法などが例示できる。
【００１３】
<実施形態１：構成>  図２は、本実施形態の機能ブロックの一例を示したものである。  図２に示す本実施形態の「地上デジタル放送受信装置」（０２００）は、「地上デジタル放送受信部」（０２０１）と、「表示部」（０２０２）と、「第一制御部」（０２０３）と、「判断部」（０２０４）と、「報知部」（０２０５）と、を有する。
【００１４】
（地上デジタル放送受信装置  ０２００）  「地上デジタル放送受信装置」（０２００）は、デジタル放送を受信し、再生する処理が可能な装置一般を広く含む。本件の地上デジタル放送受信装置は、特に携帯電話などの小型の放送受信装置を想定している。
【００１５】
（地上デジタル放送受信部  ０２０１）  「地上デジタル放送受信部」（０２０１）は、地上デジタル放送を受信する。地上デジタル放送受信部では、放送局から送られる放送波を、アンテナを介して受信する。デジタル放送にはアナログ放送とは異なり、映像・音声の他にデータ放送用のデータが付随している。データ放送とは、テレビの電波に静止画や文字、レイアウト情報などのデジタルデータを載せて流すもので、受像機（テレビ）に内蔵された専用のソフトウェアによって再生される。これには独立型と連動型の２種類があり、独立型は、番組の内容とは関係なくニュースや天気予報が送られてくるサービスである。また連動型は、今見ている番組に関連したデータが送られてくるサービスで、双方向性を活かして、視聴者が番組を見ながら買い物をしたり、クイズに回答したり、意見や要望を送ったりすることが可能である。本件では、いずれの種類のデータ放送も含まれうる。
【００１６】
なお、データ放送用データはモジュールという単位で構成されており、モジュールごとに、コンポーネントタグ、モジュールＩＤ、モジュール名、モジュールバージョン等の情報が付随している。このモジュールの情報をモジュールと併せて保存しておくことによって、記憶部上に存在するモジュールを一意的に識別できる。
【００１７】
（表示部  ０２０２）  「表示部」（０２０２）は、受信している地上デジタル放送を表示する。通常の映像の表示に加えて、解析処理後のデータ放送用のデータを表示し、ユーザに提示することが可能である。
【００１８】
（第一制御部  ０２０３）  「第一制御部」（０２０３）は、表示部（０２０２）にデータ放送を表示させないで映像のみを表示させる制御が可能である。地上デジタル放送の表示は、ディスプレイを横に倒した状態で実行する場合もあるが、このときテレビ放送の領域をより多く確保する目的から、一般にデータ放送を表示させないで映像のみを表示させる場合が多い。
【００１９】
（判断部  ０２０４）  「判断部」（０２０４）は、受信している地上デジタル放送のデータ放送のデータが更新されたか判断する。モジュールという単位で構成されているデータ放送用データは、モジュールが更新されるときは必ずＤＩＩ（Ｄｏｗｎｌｏａｄ  Ｉｎｆｏｒｍａｔｉｏｎ  Ｉｎｄｉｃａｔｏｒ）が更新される。ＤＩＩとは、コンポーネントタグ、モジュールＩＤ、モジュール名、モジュールバージョン等のモジュール情報を管理するものである。更新後のＤＩＩを取得したら、その中にあるモジュール情報を解析し、更新したモジュールの特定を行う（詳細は後述する。）。
【００２０】
また、現在視聴しているモジュールだけでなく、現在視聴中のモジュールからリンクが張られているモジュールについても、そのバージョン等の情報に基づいて更新をチェックするようにしてもよい。なお、データ放送用データは時間と共に更新されていくものが多いが、データ放送データの一部を更新する場合であっても、モジュールで一意的に当該部分を識別できることを想定している。
【００２１】
（報知部  ０２０５）  「報知部」（０２０５）は、判断部（０２０４）での判断結果が更新されたとの判断結果であり、かつ、第一制御部（０２０３）が映像のみを表示させる制御をしている場合にはその表示画面にデータ放送のデータが更新された旨を示す報知を行なう。報知は、映像のみを表示させている状態においては、ユーザがデータ放送の更新を認識できないために実行される。報知は、ユーザに対してデータ放送の視聴を促すためのメッセージの表示などが該当する。ユーザの操作でデータ放送を提示する場合については、実施形態２にて詳述する。
【００２２】
<実施形態１：具体的構成>  図３は、本実施形態の具体的構成の一例を示す概略図である。本発明の「地上デジタル放送受信装置」（０３００）は、「アンテナ部」（０３０１）と、「チューナー」（０３０２）と、「Ｄｅｍｕｘ部」（０３０３）と、「デコーダー部」（０３０４）と、「モジュール構築部」（０３０５）と、「記憶部」（０３０６）と、「モジュール更新チェック部」（０３０７）と、「表示制御部」（０３０８）と、「表示部」（０３０９）と、「スピーカー」（０３１０）と、「コンテンツ解析・提示処理部」（０３１１）と、「キー制御部」（０３１２）と、からなる。
【００２３】
（地上デジタル放送受信部などにおける処理）  まず、デジタル放送では、映像・音声の他にデータ放送用データを含む放送波が放送局より送出されるが、これをアンテナ部（０３０１）にて受信し、チューナー（０３０２）にて逆変調を行なう。さらに、Ｄｅｍｕｘ部（０３０３）にて映像、音声、データ放送用データの逆多重化が行なわれる。逆多重化されたデータ放送用データは、モジュール構築部（０３０５）にてモジュールの構築処理が実行される。データ放送用データは、構築されたモジュール単位で記憶部（０３０６）に記憶される。なおこのとき、記憶部には、コンポーネントタグ、モジュールＩＤ、モジュール名、モジュールバージョン等のモジュールの情報がモジュールと併せて記憶され、記憶部上に存在するモジュールを一意的に識別できるようにする。データ放送用データは、データ放送を表示するブラウザにて解析が行なわれ、ユーザに提示することが可能となる。また、Ｄｅｍｕｘ部にて逆多重化された映像・音声データは、デコーダー部（０３０４）にて解析され、液晶ディスプレイなどからなる表示部（０３０９）と、音声を再生するスピーカー（０３１０）とを介してユーザに映像や音声を提示する。
【００２４】
（判断部、報知部などにおける処理）  続いて、モジュール更新チェック部（０３０７）は、放送局がデータ放送用データを更新した際に、記憶部に記憶されているモジュール情報に基づいて、現在視聴中のモジュールが更新されたかどうかを判断する。なお、モジュール更新チェック部はデータ放送が画面上に提示されているかどうかには関係なく上記判断動作を行なう。モジュールの更新が検出された場合には、液晶コントローラーなどからなる表示制御部（０３０８）に対し更新の通知を行い、表示部（０３０９）に更新後のモジュールの表示を行う。ここで、データ放送が提示されていない状態で更新を検出した場合は、表示制御部（０３０８）に対し更新の通知を行う際に、コンテンツ解析・提示処理部（０３１１）に更新があったことを通知することで、表示部（０３０９）を介して、ユーザに対してデータ放送の視聴を促すためのメッセージ表示を行う。ユーザの入力操作以降の処理については、実施形態２にて詳述する。
【００２５】
<実施形態１：ハードウェア構成>  図４は、本実施形態のハードウェア構成の一例を示す概略図である。この図を利用して、地上デジタル放送受信装置の処理実行におけるそれぞれのハードウェア構成部の働きについて説明する。地上デジタル放送受信装置は、第一制御部と、判断部と、における処理を実現するために「ＣＰＵ（中央演算装置）」（０４０１）と、「メインメモリ」（０４０２）と、「記憶装置（又は記憶媒体）」（０４０３）と、を備える。また上記ハードウェア構成部に加え、地上デジタル放送受信部と、報知部と、における処理を実現するために「入出力インターフェイス」（０４０４）を備える。さらに、表示部における処理を実現するために、記載していないが入出力インターフェイスを介してディスプレイ等と接続している。これらは、「システムバス」（０４０５）などのデータ通信経路によって相互に接続され、情報の送受信や処理を行う。
【００２６】
記憶装置はＣＰＵにて実行される各種プログラム（例えば、第一制御プログラム（第一制御部）、判断プログラム（判断部）、報知プログラム（報知部）など）を記憶している。また、メインメモリは記憶装置に記憶されているプログラムを実行するために、そのプログラムを読み出して展開する領域であるワーク領域を提供する。さらに、このメインメモリや記憶装置にはそれぞれ複数のメモリアドレスが割り当てられており、ＣＰＵで実行されるプログラムは、そのメモリアドレスを特定しアクセスすることで相互にデータのやり取りを行い、処理することが可能となっている。以上が各ハードウェア構成の機能である。
【００２７】
まず、地上デジタル放送受信装置の電源を入れると、記憶装置に記憶されている第一制御プログラム（アドレス０１）、判断プログラム（アドレス０２）、報知プログラム（アドレス０３）がメインメモリのワーク領域（アドレス１１、１２、１３）にそれぞれ展開される。
【００２８】
このとき地上デジタル放送受信装置は、入力インターフェイスを介して、外部（放送局など）から地上デジタル放送を取り込み、放送波に含まれるデータ放送用データからモジュールに関する情報を抽出する。このモジュール情報を記憶装置のアドレス０４に随時記憶するとともに、出力インターフェイスを介して、接続しているディスプレイに対して、受信した地上デジタル放送の表示を行なう。
【００２９】
なお、地上デジタル放送の表示を行なう際に映像とともにデータ放送を表示させるか否かは選択することができる。映像とデータ放送の表示は、入力インターフェイスを介して、利用者の操作によって入力された命令に基づいて行なわれる。データ放送を表示させないで映像のみを表示させる命令が入力された場合には、メインメモリのワーク領域に展開された第一制御プログラムがＣＰＵによって実行される。第一制御プログラムは、ディスプレイに映像のみを表示させる制御を行なうために、グラフィックメモリにはデータ放送のデータの出力を停止し、映像データの出力のみを行なう。
【００３０】
また、地上デジタル放送受信装置は、記憶装置のアドレス０４に記憶されているモジュール情報が上書きされると、メインメモリのワーク領域に展開された判断プログラムがＣＰＵによって実行される。判断プログラムは、モジュール情報の上書きを、データ放送用データが更新されたものと判断する。判断結果は、メインメモリのワーク領域などに一旦格納する。
【００３１】
上記判断結果の格納がトリガとなり、メインメモリのワーク領域に展開された報知プログラムがＣＰＵによって実行される。報知プログラムは、データ放送用データの更新に加えて、ディスプレイに映像のみが表示されていること（グラフィックメモリを参照する）を条件に、データ放送が更新された旨の報知を行なう。データ放送が更新された旨の報知は、グラフィックメモリに、ユーザに対してデータ放送の視聴を促すためのメッセージを格納することで実行する。
【００３２】
なお、以上の説明においては、各部はソフトウェアで構成されているものとして説明したがハードウェアで構成されていてもよい。
【００３３】
<実施形態１：処理の流れ>  図５は、本実施形態の地上デジタル放送受信装置における処理の流れの一例を示したものである。なお、以下に示す処理の流れは、方法、計算機に実行させるためのプログラムで実行することができ、またこのプログラムを計算機によって読取り可能な記録媒体に記録することができる。（本明細書のその他の処理の流れについても同様である。）
【００３４】
まず、地上デジタル放送を受信し（放送受信ステップ  Ｓ０５０１）、受信している地上デジタル放送を表示する（表示ステップ  Ｓ０５０２）。このとき、映像のみを表示する場合もあれば、映像に加えてデータ放送を表示する場合もある。
【００３５】
次に、受信している地上デジタル放送のデータ放送部分のデータが更新されたか判断する（更新判断ステップ  Ｓ０５０３）。この判断は、ＤＩＩ（Ｄｏｗｎｌｏａｄ  Ｉｎｆｏｒｍａｔｉｏｎ  Ｉｎｄｉｃａｔｏｒ：モジュール情報を管理する指標）が更新されたか否かに基づいて行なう。更新後のＤＩＩを取得したら、その中にあるモジュール情報を解析し、更新したモジュールの特定を行う。
【００３６】
さらに、表示画面にデータ放送を表示させないで映像のみを表示させる制御をしているかどうかの判定が行なわれる（表示判定ステップ  Ｓ０５０４）。更新判断ステップ（Ｓ０５０３）での判断結果が更新されたとの判断結果であり、かつ、表示判定ステップ（Ｓ０５０４）での判定結果が映像のみを表示させる制御であるとの判定結果である場合には、その表示画面にデータ放送のデータが更新された旨を示す報知を行なう（報知ステップ  Ｓ０５０５）。
【００３７】
なお、更新判断ステップ（Ｓ０５０３）で更新されていないとの判断結果の場合には、放送受信ステップ（Ｓ０５０１）と、表示ステップ（Ｓ０５０２）と、を繰り返し、受信している地上デジタル放送を表示する。また、表示判定ステップ（Ｓ０５０４）での判定結果が映像のみを表示させる制御ではない（映像とデータ放送とを表示する）との判定結果である場合には、更新されたデータ放送を表示する（更新表示ステップ  Ｓ０５０６）。最後に、表示を終了するかどうかの判断を行い（終了判断ステップ  Ｓ０５０７）、表示を継続する場合には最初のステップに戻って処理を繰り返す。
【００３８】
<実施形態１：効果>  本実施形態は、地上デジタル放送のデータ放送のデータが更新されたか判断し、更新されたとの判断結果であり、かつ、表示部にデータ放送を表示させないで映像のみを表示させる制御をしている場合にはその表示画面にデータ放送のデータが更新された旨を示す報知を行なうことを特徴とする地上デジタル放送受信装置である。地上デジタル放送受信装置の表示領域全面に地上デジタル放送を表示させた状態で、ユーザが視聴を行なっている場合であっても、データ放送の更新があったことが報知されるため、重要な情報を見逃す危険が減るという効果が期待できる。
【００３９】
<<実施形態２>>
【００４０】
<実施形態２：概要>  本実施形態の概要について説明する。本実施形態は、データ放送のデータが更新された旨を示す報知に応じて、表示部にデータ放送を表示させる制御を実行させるための入力をユーザから受付け、その入力に応じてデータ放送の表示制御を実行することを特徴とする地上デジタル放送受信装置である。
【００４１】
図６は、本実施形態の地上デジタル放送受信装置の一例を示すものである。図６は、地上デジタル放送受信装置にて受信した放送を再生する場面を示している。今、（ａ）で示すように、受信している地上デジタル放送のデータ放送のデータが更新されたことが、表示画面にその旨を示すメッセージが表示されることで報知されているものとする。このとき、表示を確認したユーザは、必要に応じてデータ放送を表示させるためのキー操作などを行なう。この操作を受けて、地上デジタル放送受信装置では、（ｂ）で示すような表示を行なう。
【００４２】
なお、元のデータ放送データとしては、（ｃ）で示すように、ニュース、天気予報、スポーツ、交通情報などのリンクを有するコンテンツであるとしても、データ放送のデータの更新報知が行なわれるのは、現在視聴中のスポーツ番組の進行に沿ったデータが優先される。ユーザによるキー操作で表示されるデータ放送も現在放送されているサッカー放送のスコアのリアルタイムな表示や、放送の進行状態に応じて景品などへの応募を行うためのリンクである。
【００４３】
<実施形態２：構成>  図７は、本実施形態の機能ブロックの一例を示したものである。  図７に示す本実施形態の「地上デジタル放送受信装置」（０７００）は、「地上デジタル放送受信部」（０７０１）と、「表示部」（０７０２）と、「第一制御部」（０７０３）と、「判断部」（０７０４）と、「報知部」（０７０５）と、さらに、「第二制御部」（０７０６）と、「ユーザ入力受付部」（０７０７）と、を有する。
【００４４】
（第二制御部  ０７０６）  「第二制御部」（０７０６）は、表示部（０７０２）にデータ放送を表示させる制御を行なう。映像に加えて、表示画面上にデータ放送を表示させる表示を行なう。データ放送の表示状態については、図６などに示した態様には限定されない。
【００４５】
（ユーザ入力受付部  ０７０７）  「ユーザ入力受付部」（０７０７）は、報知部（０７０５）での前記報知に応じて第二制御部（０７０６）に前記制御を実行させるための入力をユーザから受付けるための処理を行なう。ユーザ入力は、特定のキー操作などを想定している。つまり、受信している地上デジタル放送のデータ放送のデータが更新されたことが、表示画面にその旨を示すメッセージが表示されることで報知されている場合に、表示を確認したユーザは、必要に応じてデータ放送を表示させるためのキー操作などを行なう。この操作を受けて、地上デジタル放送受信装置では、更新されたデータ放送の表示を行なう。  その他各部の処理については、実施形態１と同様である。
【００４６】
<実施形態２：具体的構成>  本実施形態の具体的構成の一例を、再度図３を用いて説明する。
【００４７】
（報知部などにおける処理）  映像のみでデータ放送を表示しない表示形態でであっても、モジュール更新チェック部（０３０７）では動作を継続しており、データ放送を構成するモジュールの監視を行っている。データ放送によっては、時間毎の変化はあまり無い場合もあるが、スポーツのスコアなどのように番組の進行とともに比較的頻繁に表示内容が更新されていく場合もある。ここで、モジュール更新チェック部において、例えば図８で示したコンポーネント・モジュールの構成例のうち「コンポーネント／モジュール＝８０／０００３」が頻繁に更新検出されたとする。モジュール更新チェック部は、「８０／０００３」の更新を検出し、コンテンツ解析・提示処理部（０３１１）に通知すると同時に、表示制御部（０３０８）に対してデータ放送の内容に変更があった旨の表示を行うように指示を出す。
【００４８】
（ユーザ入力受付部、第二制御部などにおける処理）  表示を確認したユーザは必要に応じてデータ放送を提示するためのキー操作などを行う。このキー操作を受けたキー制御部（０３１２）ではその更新のあったモジュールを参照しているコンテンツの提示を行うためにコンテンツ解析・提示処理部に通知を行う。コンテンツ解析・提示処理部ではモジュール更新チェック部から通知された更新情報と、キー操作によるユーザ入力に基づき、「８０／０００３」で構成されるコンテンツ（本例では「スポーツ」のページ）を表示する。これにより、所望の更新情報を迅速に確認することが可能となる。
【００４９】
<実施形態２：ハードウェア構成>  図９は、本実施形態のハードウェア構成の一例を示す概略図である。この図を利用して、地上デジタル放送受信装置の処理実行におけるそれぞれのハードウェア構成部の働きについて、実施形態１との差異を中心に説明する。地上デジタル放送受信装置は、「ＣＰＵ（中央演算装置）」（０９０１）と、「メインメモリ」（０９０２）と、「記憶装置（又は記憶媒体）」（０９０３）と、を備え、第二制御部における処理を実現する。また上記ハードウェア構成部に加え、「入出力インターフェイス」（０９０４）を備え、ユーザ入力受付部における処理を実現する。これらは、「システムバス」（０９０５）などのデータ通信経路によって相互に接続され、情報の送受信や処理を行う。
【００５０】
記憶装置は、ＣＰＵにて実行される各種プログラムとして、第一制御プログラム（第一制御部）、判断プログラム（判断部）、報知プログラム（報知部）に加え、第二制御プログラム（第二制御部）を記憶している。地上デジタル放送受信装置の電源を入れると、記憶装置に記憶されている第一制御プログラム（アドレス０１）、判断プログラム（アドレス０２）、報知プログラム（アドレス０３）、第二制御プログラム（アドレス０４）がメインメモリのワーク領域（アドレス１１、１２、１３、１４）にそれぞれ展開される。
【００５１】
このとき地上デジタル放送受信装置は、入力インターフェイスを介して、外部（放送局など）から地上デジタル放送を取り込み、放送波に含まれるデータ放送用データからモジュールに関する情報を抽出する。このモジュール情報を記憶装置のアドレス０５に随時記憶するとともに、出力インターフェイスを介して接続しているディスプレイに対して、受信した地上デジタル放送の表示を行なう。
【００５２】
今、すでに実施形態１にて説明したように報知プログラムによって、データ放送が更新された旨の報知が行なわれたものとする。この報知に応じて、ユーザがデータ放送を表示させるための入力を行なった場合には、その入力信号は入力インターフェイスを介して受け付けられ、メインメモリのワーク領域などに一旦格納される。
【００５３】
上記ユーザ入力信号の格納がトリガとなり、メインメモリのワーク領域に展開された第二制御プログラムがＣＰＵによって実行される。第二制御プログラムは、ディスプレイに映像に加えてデータ放送を表示させる制御を行なうために、グラフィックメモリには映像データと、データ放送のデータの出力を行なう。
【００５４】
なお、以上の説明においては、各部はソフトウェアで構成されているものとして説明したがハードウェアで構成されていてもよい。
【００５５】
<実施形態２：処理の流れ>  図１０は、本実施形態の地上デジタル放送受信装置における処理の流れの一例を示したものである。なお、報知ステップ（Ｓ１００５）までは実施形態１と同様である。
【００５６】
まず、地上デジタル放送を受信し（放送受信ステップ  Ｓ１００１）、受信している地上デジタル放送を表示する（表示ステップ  Ｓ１００２）。このとき、映像のみを表示する場合もあれば、映像に加えてデータ放送を表示する場合もある。
【００５７】
次に、受信している地上デジタル放送のデータ放送部分のデータが更新されたか判断する（更新判断ステップ  Ｓ１００３）。この判断は、ＤＩＩ（Ｄｏｗｎｌｏａｄ  Ｉｎｆｏｒｍａｔｉｏｎ  Ｉｎｄｉｃａｔｏｒ：モジュール情報を管理する指標）が更新されたか否かに基づいて行なう。更新後のＤＩＩを取得したら、その中にあるモジュール情報を解析し、更新したモジュールの特定を行う。
【００５８】
さらに、表示画面にデータ放送を表示させないで映像のみを表示させる制御をしているかどうかの判定が行なわれる（表示判定ステップ  Ｓ１００４）。更新判断ステップ（Ｓ１００３）での判断結果が更新されたとの判断結果であり、かつ、表示判定ステップ（Ｓ１００４）での判定結果が映像のみを表示させる制御であるとの判定結果である場合には、その表示画面にデータ放送のデータが更新された旨を示す報知を行なう（報知ステップ  Ｓ１００５）。
【００５９】
なお、更新判断ステップ（Ｓ１００３）で更新されていないとの判断結果の場合には、放送受信ステップ（Ｓ１００１）と、表示ステップ（Ｓ１００２）と、を繰り返し、受信している地上デジタル放送を表示する。また、表示判定ステップ（Ｓ１００４）での判定結果が映像のみを表示させる制御ではない（映像とデータ放送とを表示する）との判定結果である場合には、更新されたデータ放送を表示する（更新表示ステップ  Ｓ１００６）。
【００６０】
さらに、報知ステップ（Ｓ１００５）での前記報知に応じて、表示画面にデータ放送を表示させる制御を実行させるための入力をユーザから受付けたかどうかを確認する（ユーザ入力受付確認ステップ  Ｓ１００７）。
【００６１】
ユーザ入力受付確認ステップ（Ｓ１００７）において、ユーザから入力を受付けた場合には、その入力に応じて、表示画面にデータ放送を表示させる（更新表示ステップ  Ｓ１００６）。データ放送の表示後、あるいは、ユーザからの入力がない場合には、表示を終了するかどうかの判断を行い（終了判断ステップ  Ｓ１００８）、表示を継続する場合には最初のステップに戻って処理を繰り返す。
【００６２】
<実施形態２：効果>  本実施形態は、データ放送のデータが更新された旨を示す報知に応じて、表示部にデータ放送を表示させる制御を実行させるための入力をユーザから受付け、その入力に応じてデータ放送の表示制御を実行することを特徴とする地上デジタル放送受信装置である。データ放送のデータが更新された旨を示す報知を確認したユーザは所定の操作を行なうことで、所望の更新情報を迅速に確認することが可能となる。
【図面の簡単な説明】
【００６３】
【図１】実施形態１を説明するための概念図
【図２】実施形態１の機能ブロックの一例を示した図
【図３】実施形態１の具体的構成の一例を示した図
【図４】実施形態１のハードウェア構成の一例を示した図
【図５】実施形態１の処理の流れを示した図
【図６】実施形態２を説明するための概念図
【図７】実施形態２の機能ブロックの一例を示した図
【図８】実施形態２におけるコンポーネント／モジュールとコンテンツの構成を示した図
【図９】実施形態２のハードウェア構成の一例を示した図
【図１０】実施形態２の処理の流れを示した図
【符号の説明】
【００６４】
０２００    地上デジタル放送受信装置
０２０１    地上デジタル放送受信部
０２０２    表示部
０２０３    第一制御部
０２０４    判断部
０２０５    報知部
【図１】
2009065546.tif 000003
【図２】
2009065546.tif 000004
【図３】
2009065546.tif 000005
【図４】
2009065546.tif 000006
【図５】
2009065546.tif 000007
【図６】
2009065546.tif 000008
【図７】
2009065546.tif 000009
【図８】
2009065546.tif 000010
【図９】
2009065546.tif 000011
【図１０】
2009065546.tif 000012